(57)【要約】【課題】スマートアンテナを非使用時に簡単に格納することができるテレビジョン受信装置を提供する。【解決手段】テレビジョン受信装置１００は、筺体部１４と軸部１７とに分割可能なスマートアンテナ１０と、テレビジョン受信機２０とから構成されている。さらに、テレビジョン受信機２０は、分割したスマートアンテナ１０の筺体１４を収容するための収容部６０を有しており、軸部１７から取り外した筺体１４を、厚み方向を同じにして収容することができる。このため、スマートアンテナ１０を使用しない場合は、筺体１４を軸部１７から取り外すとともに、取り外した筺体１４をテレビジョン受信機２０の収容部６０に収容する。【選択図】図２
2008311994.tif 000002
【特許請求の範囲】
【請求項１】
受信する電波の指向性を電気的に切り替え可能なスマートアンテナを、テレビジョン受信機に接続するテレビジョン受信装置において、
上記スマートアンテナは、テレビジョン放送信号を受信する受信部と、
上記受信部と着脱可能に取り付けられて、同受信部をテレビジョン受信機に接続するための接続部とから成り、
上記テレビジョン受信機は、上記受信部を収容するための収容部を有することを特徴とするテレビジョン受信装置。
【請求項２】
上記受信部は、テレビジョン放送信号を受信するアンテナユニットと、
上記アンテナユニットを収容する厚みの薄い筺体とから形成され、
上記筺体は、厚みの薄い円筒形状の第一の部位と、上記第一の部位の下方に位置する円錐台形状の第二の部位とから成り、
上記収容部は、上記受信部の厚み方向を上記テレビジョン受信機の厚み方向と同じにして収容することを特徴とする請求項１に記載のテレビジョン受信装置。
【請求項３】
上記収容部は、上記テレビジョン受信機の背面側より延設する１対の収容片と同テレビジョン受信機の背面とで、上記受信部を収容するための空間を形成し、
上記受信部の第一の部位の外周縁部を形成された上記空間に挿入して、上記受信部を収容することを特徴とする請求項２に記載のテレビジョン受信装置。
【請求項４】
上記受信部は、上記テレビジョン受信機と電気的に接続するために上記アンテナユニットから引き出された配線とを有し、
上記配線を上記第二の部位の円錐台形状の外周に沿って巻き取るとともに、
上記収容部は、上記テレビジョン受信機の背面側より延設する１対の収容片と同テレビジョン受信機の背面とで、上記第二の部位の外周に巻き取られた配線ごと上記受信部を収容するための空間を形成することを特徴とする請求項２に記載のテレビジョン受信装置。
【請求項５】
上記収容部は、上記空間を形成する上記収容片と上記テレビジョン受信機の内壁側に、同空間に収容される上記受信部を保護するための緩衝材を配置することを特徴とする請求項３または請求項４のいずれかに記載のテレビジョン受信装置。
【請求項６】
上記収容部は、上記収容部に収容された受信部が保持される収容保持部を有することを特徴とする請求項１〜請求項５のいずれか一項に記載のテレビジョン受信装置。
【請求項７】
上記接続部は、上記テレビジョン受信機から略上方に延設する軸形状であって、
上記テレビジョン受信機は、上記接続部を収容するための第二の収容部を有することを特徴とする請求項１〜請求項６のいずれか一項に記載のテレビジョン受信装置。
【請求項８】
受信する電波の指向性を電気的に切り替え可能なスマートアンテナを、テレビジョン受信機に接続するテレビジョン受信装置において、
上記スマートアンテナは、テレビジョン放送信号を受信するアンテナユニットと、厚みの薄い円筒形状の第一の部位と、上記第一の部位の下方に位置する円錐台形状の第二の部位とから成る形状であって、上記アンテナユニットを収容する筺体と、
上記筺体と着脱可能に取り付けられて、同筺体をテレビジョン受信機に接続するための軸部とから成り、
上記テレビジョン受信機は、上記テレビジョン受信機の背面側より延設する１対の収容片と同テレビジョン受信機の背面とで形成された空間と、収容される上記筺体を保持する収容保持部とを具備する収容部と、
同テレビジョン受信機の背面より延設して、上記軸部を狭持するよう固定する固定部とを有し、
上記収容部は、上記空間を形成する１対の収容片と背面との内壁側に、収容される上記筺体を保護するための緩衝材を配置するとともに、上記筺体の厚み方向を上記テレビジョン受信機の厚み方向と同一にするよう、上記筺体の第一の部位の外周縁部を形成された上記空間に挿入した後、上記収容保持部にて収容された上記筺体を固定して収容し、
上記固定部により狭持される上記軸部を、同軸部の長手方向下方に押し下げて収容することを特徴とするテレビジョン受信装置。
【発明の詳細な説明】
【技術分野】
【０００１】
テレビジョン放送を受信して視聴可能なテレビジョン受信装置において、特に、指向性を切り替え可能なスマートアンテナを有するテレビジョン受信装置に関する。
【背景技術】
【０００２】
従来、送信される信号を受信する方法として、受信装置が知られている（例えば、特許文献１参照。）。特に、テレビジョン放送信号を受信する場合は、アンテナを用いてテレビジョン放送信号を受信する。この場合、アンテナによるテレビジョン放送信号の受信に際してアンテナが最適受信方向を向くように、例えば、視聴者が、表示部に表示された画像を参照しながら、当該アンテナの向き等を調整していた。しかしながら、この調整方法は非常に煩雑であるという問題があった。そこで、例えば、テレビジョン放送信号の受信状況を表示できるインジケータを備え、当該インジケータにより表示される受信状況を参照しながらアンテナの向き等を手動で調整することができる受信装置や、視聴者により要望があった時に、アンテナの向き等を自動で調整することができる受信装置が存在する。  
【０００３】
さらに、視聴者により所望のチャンネルが指定される度に、自動的に指向性を切り替えることができるアンテナ（通称、「スマートアンテナ」という。 ）を有するスマートアンテナも提案されている。図９は、従来のスマートアンテナ１を表す斜視図である。同図より、スマートアンテナ１は、受信素子を有したアンテナユニット２と、アンテナユニット２を収容する筺体３、筺体３を所定高さに支持するとともに、テレビジョン受信機に固定する軸部４、さらには、アンテナユニット２から引き出て、テレビジョン受信機と電気的に接続する配線とを有する構成である。これにより、スマートアンテナ１は、テレビジョン受信機５によって配線を介して所定の規格に基づいて制御されて、スマートアンテナの受信の指向性等を切り替えるようになっている。
【０００４】
上述したスマートアンテナを不使用時に収容する場合次のような問題があった。つまり、テレビジョン受信機５から取り外したスマートアンテナ１の取り扱いに苦労していた。具体的には、スマートアンテナ１は受信感度が非常に高く、また、その形状もコンパクトであるため、携帯用のテレビジョン受信機にも使用することが可能である。このような場合、取り外したスマートアンテナ１は、衝撃からの破損等から保護するために厳重に保護される必要があった。
【０００５】
パラボラアンテナ等の比較的大きな反射面を広げたアンテナの収容について以下の方法が開示されている。つまり、反射面を分割するとともに、分割した反射面を折りたたみ可能としている。これにより、パラボラアンテナを収容時などは反射面を折りたたんで大きさをコンパクトにすることができる。（例えば、特許文献１参照。）。
【特許文献１】特開２００３−１８０３８
【特許文献２】特開平７−２４０６２６
【発明の開示】
【発明が解決しようとする課題】
【０００６】
特許文献２の発明を、スマートアンテナに使用した場合、次のような課題がった。つまり、特許文献２に開示されるパラボラアンテナは、反射面が比較的大きなものであり、スマートアンテナのような小型のアンテナには不向きだった。さらに、スマートアンテナの筺体には、アンテナユニットが収容されているため、分割して折りたたむことは難しかった。
【０００７】
本発明は、上記課題にかんがみてなされたもので、スマートアンテナを非使用時に簡単に収納することができるテレビジョン受信装置の提供を目的とする。
【課題を解決するための手段】
【０００８】
上記課題を解決するために、本発明の請求項１にかかる発明では、受信する電波の指向性を電気的に切り替え可能なスマートアンテナを、テレビジョン受信機に接続するテレビジョン受信装置において、上記スマートアンテナは、テレビジョン放送信号を受信する受信部と、上記受信部と着脱可能に取り付けられて、同受信部をテレビジョン受信機に接続するための接続部とから成り、上記テレビジョン受信機は、上記受信部を収容するための収容部を有する構成としてある。
【０００９】
上記のように構成された発明では、スマートアンテナは、テレビジョン受信機を受信するための受信部と、受信部をテレビジョン受信機と接続するための接続部とから成り、受信部と接続部は着脱可能に取り外すことができる。また、テレビジョン受信機は、接続部から取り外された受信部を収容する収容部を有している。
【００１０】
そのため、スマートアンテナを使用しない場合は、受信部を接続部から取り外すとともに、取り外した受信部をテレビジョン受信機の収容部に収容する。これにより、スマートアンテナを非使用時に簡単に収納することができる。
【００１１】
また、本発明の実施の形態におけるスマートアンテナの具体的な構成の一例として、請求項２にかかる発明では、上記受信部は、テレビジョン放送信号を受信するアンテナユニットと、上記アンテナユニットを収容する厚みの薄い筺体とから形成され、上記筺体は、厚みの薄い円筒形状の第一の部位と、上記第一の部位の下方に位置する円錐台形状の第二の部位とから成り、上記収容部は、上記受信部の厚み方向を上記テレビジョン受信機の厚み方向と同じにして収容する構成としてある。
【００１２】
上記のように構成された発明では、スマートアンテナの受信部の具体的な形状を以下のようにする。つまり、テレビジョン放送信号を受信するアンテナユニットと、上記アンテナユニットを収容する厚みの薄い筺体とから形成され、上記筺体は、厚みの薄い円筒形状の第一の部位と、上記第一の部位の下方に位置する円錐台形状の第二の部位とから形成されている。さらに、収容部は、受信部の厚み方向をテレビジョン受信機の厚み方向と同一にして収容する。これにより、厚みの薄い受信部の厚み方向をテレビジョン受信機の厚み方向と同一にして収容するため、受信部を収容後のテレビジョン受信機は、厚み方向に出っ張らず、コンパクトに収容することができる。このため、厚みの薄いテレビジョン受信機においては、その利点である厚みの薄さを阻害されることがない。
【００１３】
そして、収容部の具体的な構成として、請求項３にかかる発明では、上記収容部は、上記テレビジョン受信機の背面側より延設する１対の収容片により、同テレビジョン受信機の背面とで、上記受信部を収容するための空間を形成し、上記受信部の第一の部位の外周縁部を形成された上記空間に挿入して収容する構成としてある。
【００１４】
上記のように構成された発明では、収容部は、スマートアンテナの受信部を収容するための空間を、テレビジョン受信機の背面と、１対の収容片にて形成する。受信部は、形成された空間に第一の部位の外周縁部を挿入して収容される。これにより、収容部はテレビジョン受信機の背面側に形成された空間に収容されるため、収容後テレビジョン受信機の邪魔にならず、また、少ない部材で収容部を形成することができる。
【００１５】
さらに、受信部を収容部に収容する際、テレビジョン受信機と接続する配線も同様に収容する必要がある。そのため、請求項４にかかる発明では、上記受信部は、上記テレビジョン受信機と電気的に接続するために上記アンテナユニットから引き出された配線とを有し、上記配線を上記第二の部位の円錐台の外周に沿って巻き取るとともに、上記収容部は、上記テレビジョン受信機の背面側より延設する１対の収容片と、同テレビジョン受信機の背面とで、上記第二の部位の外周に巻き取られた配線ごと上記受信部を収容するための空間を形成する構成としてある。 
【００１６】
上記のように構成された発明では、受信部は、収容するアンテナユニットから引き出された配線を、第二の部位の外周に沿って巻き取るとともに、収容部に収容する。このとき、収容部は、テレビジョン受信機の背面と１対の収容片にて、上記第二の部位の外周に巻き取られた配線ごと上記受信部を収容するための空間を形成する。これにより、配線は収容部に収容されるため、テレビジョン受信機等の持ち運びの際、何かに引っかかって断線するのを防止することができる。また、収納後のテレビジョン受信機の外観をすっきりさせることができる。
【００１７】
また、アンテナユニットはＣＰＵ等の素子が実装されているため、外部からの衝撃より保護する必要がある。そこで、請求項５にかかる発明では、上記収容部は、上記空間を形成する上記収容片と上記テレビジョン受信機の内壁側に、同空間に収容される上記受信部を保護するための緩衝材を配置する構成としてある。
【００１８】
上記のように構成された発明では、空間を形成する収容部の内壁側は、収容される受信部を保護するための緩衝材が配置されている。緩衝材の具体的な一例としては、不織布や、樹脂等である。これにより、収容部に収容された受信部は、外部の衝撃を緩衝材により保護される。そのため、受信部を収容する際、傷や破損から保護することができる。
【００１９】
そして、収容部に収容された受信部を確実に収容するために、請求項６にかかる発明では、上記収容部は、上記収容部に収容された受信部が保持される収容保持部を有する構成としてある。
上記のように構成された発明では、収容部に収容された受信部は、収容保持部によって保持される。これにより、携帯型のテレビジョン受信機などに使用して、テレビジョン受信機を持ち運ぶ場合でも、受信部が収容部から飛び出るのを防止することができる。
【００２０】
さらに、受信部を取り外した接続部も同様に収容するものであってもよい。そのため、請求項７にかかる発明では、上記接続部は、上記テレビジョン受信機から略上方に延設する軸形状であって、上記テレビジョン受信機は、上記接続部を収容するための第二の収容部を有する構成としてある。
【００２１】
上記のように構成された発明では、スマートアンテナは、受信部と接続部とに分解された後、第一の収容部に受信部を収容し、第二の収容部に軸部を収容する。そのため、スマートアンテナを取り外した後のテレビジョン受信機を、さらにコンパクトにすることができる。ここで、接続部の収容方法の一例として、接続部が軸状であれば、テレビジョン受信機の垂直方向に収容するものであってもよいし、折りたたむものであってもよい。
【００２２】
また、上記課題を解決するための具体的な構成の一例として、請求項８にかかる発明は、受信する電波の指向性を電気的に切り替え可能なスマートアンテナを、テレビジョン受信機に接続するテレビジョン受信装置において、上記スマートアンテナは、テレビジョン放送信号を受信するアンテナユニットと、厚みの薄い円筒形状の第一の部位と、上記第一の部位の下方に位置する円錐台形状の第二の部位とから成る形状であって、上記アンテナユニットを収容する筺体と、上記筺体と着脱可能に取り付けられて、同筺体をテレビジョン受信機に接続するための軸部とから成り、上記テレビジョン受信機は、上記テレビジョン受信機の背面側より延設する１対の収容片と同テレビジョン受信機の背面とで形成された空間と、収容される上記筺体を保持する収容保持部とを具備する収容部と、同テレビジョン受信機の背面より延設して、上記軸部を狭持するよう固定する固定部とを有し、上記収容部は、上記空間を形成する１対の収容片と背面との内壁側に、収容される上記筺体を保護するための緩衝材を配置するとともに、上記筺体の厚み方向を上記テレビジョン受信機の厚み方向と同一にするよう、上記筺体の第一の部位の外周縁部を形成された上記空間に挿入した後、上記収容保持部にて収容された上記筺体を固定して収容し、上記固定部により狭持される上記軸部を、同軸部の長手方向下方に押し下げて収容する構成としてある。
【発明の効果】
【００２３】
以上説明したように本発明によれば、スマートアンテナを非使用時に簡単に収納することができる。
また請求項２にかかる発明によれば、受信部を収容後のテレビジョン受信機は、厚み方向に出っ張らず、コンパクトに収容することができる。
そして請求項３にかかる発明によれば、収容後テレビジョン受信機の邪魔にならず、また、少ない部材で収容部を形成することができる。
さらに請求項４にかかる発明によれば、テレビジョン受信機等の持ち運びの際、何かに引っかかって断線するのを防止することができる。
また請求項５にかかる発明によれば、受信部を収容する際、傷や破損から保護することができる。
さらに請求項６にかかる発明によれば、テレビジョン受信機を持ち運ぶ場合でも、受信部が収容部から飛び出るのを防止することができる。
また請求項７にかかる発明によれば、スマートアンテナを取り外した後のテレビジョン受信機を、さらにコンパクトにすることができる。
さらに請求項８のような、より具体的な構成において、上述した請求項１〜請求項７の各発明と同様の作用を奏することはいうまでもない。
【発明を実施するための最良の形態】
【００２４】
以下、下記の順序に従って本発明の実施の形態であるテレビジョン受信装置を説明する。
（１）テレビジョン受信装置の構成
（１−１）スマートアンテナの構成
（１−１−１）筺体の構成
（１−１−２）アンテナユニットの構成
（１−１−３）軸部の構成
（１−２）テレビジョン受信機の構成
（１−２−１）受信部の収容方法
（１−２−２）変形例
（２）まとめ
【００２５】
（１）テレビジョン受信装置の構成
以下、図１〜図６を参照して、本発明にかかるスマートアンテナ及びスマートアンテナを備えたテレビジョン受信機の最良の形態を詳細に説明する。なお、発明の範囲は、図示例に限定されない。
【００２６】
図１は、本発明の実施の形態でのテレビジョン受信装置１００のブロック構成図である。同図１より、テレビジョン受信装置１００は、スマートアンテナ１０と、テレビジョン受信機２０を備えて構成される。スマートアンテナ１０とテレビジョン受信機２０は、例えば、所定の通信方式（例えば、EIA/CEA-909等 ）に基づいた通信を行うためのインターフェイス（以下９０９インターフェイス）を介して接続されている。また、スマートアンテナ１０は、例えば、テレビジョン放送信号を受信するようになっており、テレビジョン受信機２０は、例えば、スマートアンテナ１０により受償されたテレビジョン放送信号に基づく音声や画像を出力するようになっている。
【００２７】
図２は、テレビジョン受信機２０に固定されるスマートアンテナ１０を表す斜視図である。テレビジョン受信装置１００にてテレビジョン放送信号を受信する場合は、スマートアンテナ１０をテレビジョン受信機２０の背面に固定された固定部５０により取り付けるとともに、スマートアンテナ１０とテレビジョン受信機２０とを配線１５ａにて接続する。具体的には、スマートアンテナ１０が受信したテレビジョン放送信号を、テレビジョン受信機２０に配線を介して出力する。また、本発明のスマートアンテナ１０は、アンテナユニットを収容する筺体１４（受信部）と、テレビジョン受信機２０に接続するための軸部１７（接続部）とに着脱可能に分割することができる。軸部より分割された筺体は、テレビジョン受信機２０の背面に形成される収容部６０に収容することができる。
【００２８】
（１−１）スマートアンテナの構成
図３は、スマートアンテナ１０の構成を表す構成図である。同図より、スマートアンテナ１０は、受信素子１３を有するアンテナユニット１５と、アンテナユニット１５を収容する筺体１４、筺体１４の下方より延設するよう固定されて、筺体１４および筺体１４に収容されるアンテナユニット１５をテレビジョン受信機２０から所定距離だけ離した上方に配置する軸部１７とを有している。
【００２９】
（１−１−１）筺体の構成
筺体１４は、アンテナユニット１５を収容するためのものである。アンテナユニット１５は、テレビジョン放送信号の受信に対して指向性を持った受信素子１３を有している。そのため、筺体１４は、受信素子の受信方向を水平に保つよう収容する。一例としては、アンテナユニット１５を実装する基板を水平方向に向けることにより、筺体１４内に収容している。そのため、筺体１４は、アンテナユニット１５を水平に収容できるよう、上部筺体部１４ａと下部筺体部１４ｂとから構成され、且つ、薄円筒形状である。また、アンテナユニット１５をテレビジョン受信機２０等からのノイズから守るために、筺体１４は絶縁物質にて形成されている。筺体を構成する絶縁物質の一例としては、樹脂やプラスチック等が挙げられる。
【００３０】
筺体１４の上部筺体部１４ａは、アンテナユニット１５を収容できる凹部を有する、横断面が円形の形状である。また、下部筺体部１４ｂは、アンテナユニット１５を収容できる凹部を有する横断面が円形の形状であるとともに、下方に円錐台形状の部位を有する形状である。そして、円錐台状の部位の下方には、軸部１７が挿入されて固定される穴１４ｂ１を有する結合片１４ｂ２を有している。また、結合片１４ｂ２の穴１４ｂ１は、下部筺体部１４ｂの底辺を貫通しており、アンテナユニット１５から引き出された配線を、穴１４ｂ１から導出する。これにより、下部筺体部１４ｂに穴１４ｂ１から配線を導出させるよう配置した後、上部筺体部１４ａで下部筺体部１４ｂを覆うように固定することにより、アンテナユニット１５は筺体１４内に収容される。
【００３１】
（１−１−２）アンテナユニットの構成
アンテナユニット１５は、テレビジョン放送信号を受信する際、受信可能なテレビジョン放送信号の指向性を電気的に切り替えることが可能である。アンテナユニット１５の構成について、図１を参照して説明する。アンテナユニット１５は、例えば、９０９インターフェイス１２と、アンテナコントローラ１１とテレビジョン放送信号の受信に際して指向性の切り替えが可能な受信素子１３などを傭えて構成される。
【００３２】
９０９インターフェイス１２は、例えば、テレビジョン受信機２０の９０９インターフェイス(後述)と９０９ケーブル１５ａ１にて接続しており、テレビジョン受信機２０の９０９インターフェイス２１（後述）と所定の通信方式（例えば、EIA/CEA-909等 ）に基づいた通信を行って、テレビジョン受信機２０から受信素子１３を制御するためのチャンネル情報等を受信して、アンテナコントローラ１１に出力する。
【００３３】
アンテナコントローラ１１は、例えば、制御部１１ａを備えている。制御部１１ａは、例えば、ＣＰＵ１１ａ１と、ＲＡＭ１１ａ２と、ＲＯＭ１１ａ３、などを備えている。ＣＰＵ１１ａ１は、ＲＯＭ１１ａ３に記録されたアンテナコントローラ１１用の各種処理プログラムに従って各種の制御動作を行う。ＲＡＭ１１ａ２は、ＣＰＵ１１ａ１によって実行される処理プログラムなどを展開するためのプログラム格納領域や、入カデータや上記処理プログラムが実行される際に生じる処理結果などを格納するデータ格納領域などを備える。ＲＯＭ１１ａ３は、アンテナコントローラ１１で実行可能なシステムプログラム、システムプログラムで実行可能な各種処理プログラム、これら各種処理プログラムを実行する際に使用されるデータ、ＣＰＵ１１ａ１によって演算処理された処理結果のデータなどを記録する。なお、プログラム２００は、コンピュータが読み取り可能なプログラムコードの形でＲＯＭ１１ａ３に記録されている。
【００３４】
プログラム２００は、例えば、ＣＰＵ１１ａ１により取得されたチャンネル情報に含まれる物理チャンネル番号に対応するテレビジョン放送信号に基づいて、受信素子１３の指向性を電気的に切り替える。具体的には、プログラム２００を実行したＣＰＵ１１ａ１により取得されたチャンネル情報に含まれる物理チャンネル番号に対応するテレビジョン放送信号の判定に基づいて、当該テレビジョン放送信号を受信するアンテナとしての受信素子１３の指向性を切り替える。
【００３５】
切替部１１ｂは、例えば、制御部１１ａから入力される制御信号に従って、プログラム２００を実行したＣＰＵ１１ａ１により受信素子１３が選択された場合、プログラム２００を実行したＣＰＵ１１ａ１により取得されたチャンネル情報に含まれる方向情報に基づいて、受信素子１３の指向性を切り替える。
【００３６】
受信素子１３は、例えば、テレビジョン受信機２０のチューナ２２とアンテナＲＦケーブル１５ａ２で接続されており、プログラム２００を実行したＣＰＵ１１ａ１の指示に基づいてテレビジョン放送信号を受信する。具体的には、受信素子１３は、複数の指向性の方向(例えば、１６方向)を有し、切替部１１ｂにより当該複数の方向のうちの一方向に指向性が切り替えられると、当該一方向からのテレビジョン放送信号に、他方向からのテレビジョン放送信号よりも大きな感度を示すようになっている。
【００３７】
（１−１−３）軸部の構成
軸部１７は、筺体１４および、筺体１４に収容するアンテナユニット１５をテレビジョン受信機２０の上方に配置するためのものである。さらに、本発明の実施の形態に係る軸部１７は、スマートアンテナ１０をテレビジョン受信機２０に固定する際、テレビジョン受信機２０に接続される９０９ケーブル１５ａ１およびアンテナＲＦケーブル１５ａ２を収容する。これにより、９０９ケーブル１５ａ１およびアンテナＲＦケーブル１５ａ２は、人目に付かず、外観の美観を損ねない。さらに、９０９ケーブル１５ａ１およびアンテナＲＦケーブル１５ａ２は、軸部１７内に収容されるため、断線から保護することができる。また、テレビジョン受信機２０に接続した際、テレビジョン受信機からのノイズを防止するために、絶縁物質にて形成されている。
【００３８】
上述した構成により、軸部１７は、筺体１４の下方に形成された結合片１４ｂ２の穴１４ｂ１に、一端側を挿入して筺体１４と結合する。このとき、筺体１４に収容されたアンテナユニット１５から引き出されて穴１４ｂ１から導出された９０９ケーブル１５ａ１とアンテナＲＦケーブル１５ａ２とを、軸部１７の円筒の中空を貫通させるよう挿入し導出する。また、結合片１４ｂ２には、結合片１４ｂ２の壁面を貫通する雌ねじ部１４ｂ３が形成されており、ねじ１８を雌ねじ部１４ｂ３に羅合するよう挿入させて、穴１４ｂ１に挿入した軸部１７の先端と当接させて、軸部１７を固定する。
【００３９】
（１−２）テレビジョン受信機の構成
次に、テレビジョン受信機２０の構成について、図１を参照して説明する。テレビジョン受信機２０は、例えば、９０９インターフェイス２１と、チューナ２２と、フロントエンド２３と、デコーダ２４と、ＯＳＤ回路２７と、リモコン受信部２８と、記録部２９と、制御部３０とを備えて構成される。上述した各部は、樹脂製のキャビネット２０ａに収容されて配置される。また、図２に示すようにキャビネット２０ａ背面に形成される固定部５０により前述したスマートアンテナ１０を固定する。
【００４０】
テレビジョン受信機２０は、スマートアンテナ１０から受信したテレビジョン放送信号を受け付けて、映像や音声を出力する。そのため、映像や音声を出力するために、デコーダ２４に接続された音声出力部２５や画像表示部２６を備えている。さらに、テレビジョン受信機２０は、例えば、リモコン受信部２８と通信可能なテレビジョン受信機２０用のリモコン装置４０を備えている。以下にテレビジョン受信機２０の各構成要素を説明する。
【００４１】
９０９インターフェイス２１は、例えば、スマートアンテナ１０の９０９インターフェイス１２と９０９ケーブル１５ａ１を用いて接続しており、例えば、制御部３０から入力される制御信号に従って、スマートアンテナ１０の９０９インターフェイス１２と所定の通信方式(例えば、EIA/CEA-909 等)に基づいた通信を行って、スマートアンテナ１０にスマートアンテナ１０を制御するためのチャンネル情報等を送信する。
【００４２】
チューナ２２は、例えば、スマートアンテナ１０の受信素子１３とアンテナＲＦケーブル１５ａ２を介して電気的に接続されており、制御部３０から入力される制御信号に従って、受信素子１３から出力されたテレビジョン放送信号の中からユーザによって選局されたチャンネルに対応するテレビジョン放送信号を取得して、フロントエンド２３に出力する。
【００４３】
フロントエンド２３は、例えば、制御部３０から入力される制御信号に従って、チューナ２２から出力されたテレビジョン放送信号を中間周波信号に変換して、デコーダ２４に出力する。
【００４４】
デコーダ２４は、例えば、制御部３０から入力される制御信号に従って、フロントエンド２３から出力されたテレビジョン放送信号に対して所定のファイル形式(例えば、ＭＰＥＧー２（Moving Picture Experts Group phase 2）形式等）に応じた処理を施すことによって、当該テレビジョン放送信号を音声信号と画像信号とに分離してデコードする。そして、当該デコードした音声信号を音声出力部２５に出力するとともに、画像信号を画像表示部２６に出力する。
【００４５】
音声出力部２５は、例えば、スピーカ機器等であり、デコーダ２４から出力された音声信号に墓づく音声データに応じた音声を出力する。
【００４６】
画像表示部２６は、例えば、液晶表示機器等であり、デコーダ２４から出力された画像信号に基づく画像データに応じた画像や、デコーダ２４から出力され、ＯＳＤ回路２７によりＯＳＤ表示信号(後述)が合成された画像信号に基づく画像データに応じた画像を表示する。
【００４７】
ＯＳＤ回路２７は、例えば、制御部３０から入力される制御信号に従って、画像表示部２６に所定のＯＳＤ表示(オンスクリーンディスプレイ表示)をさせるためのＯＳＤ表示
信号を、デコーダ２４から画像表示部２６に出力される画像信号に合成する。
【００４８】
リモコン受信部２８は、例えば、リモコン装置４０から送信された各種信号を受信し、当該各種信号に基づく各種データを、制御部３０に出力する。
【００４９】
リモコン装置４０は、例えば、ユーザによって操作され、当該操作に応じた信号をリモコン受信部２８に送信する。具体的には、リモコン装置４０は、例えば、選局するチャンネルを指定する際に操作される、チャンネルキーやチャンネルアップ/ダウンキーなどを有する。
【００５０】
記録部２９は、例えば、磁気的記録媒体、光学的記録媒体、若しくは半導体メモリで構成されている。具体的には、記録部２９には、チャンネルマップ２９ａ等が記録されている。チャンネルマップ２９ａは、例えば、チャンネル情報等を記録している。具体的には、チャンネルマップ２９ａは、例えば、リモコン装置４０のチャンネルキーやチャンネルアップ/ダウンキーに割り当てられた仮想チャンネル番号と、物理チャンネル番号と、スマートアンテナ１０の指向性の方向に関する方向情報と、スマートアンテナ１０のゲインに関するゲイン情報などを対応付けて記録している。チャンネルマップ２９ａに記録される情報は、例えば、テレビジョン受信装置１００の初期設定処理において決定されて、チャンネルマップ２９ａに記録されるようになっている。
【００５１】
制御部３０は、例えば、ＣＰＵ３０ａと、ＲＡＭ３０ｂと、ＲＯＭ３０ｃなどを備えている。ＣＰＵ３０ａは、ＲＯＭ３０ｃに記録されたテレビジョン受信機２０用の各種処理プログラムに従って、各種の制御動作を行う。ＲＡＭ３０ｂは、ＣＰＵ３０ａによって実行される処理プログラムなどを展開するためのプログラム格納領域や、入カデータや上記処理プログラムが実行される隙に生じる処理結果などを格納するデータ格納領城などを備える。
【００５２】
ＲＯＭ３０ｃは、テレビジョン受信機２０で実行可能なシステムプログラム、当該システムプログラムで実行可能な各種処理プログラム、これら各種処理プログラムを実行する際に使用されるデータ、ＣＰＵ３０ａによって演算処理された各種結果のデータなどを記録する。なお、プログラムは、コンピュータが読み取り可能なプログラムコードの形でＲＯＭ３０ｃに記録されている。具体的には、ＲＯＭ３０ｃは、例えば、送信プログラム３００等を記録している。
【００５３】
送信プログラム３００は、例えば、９０９インターフェイス２１を介して、スマートアンテナ１０に、チャンネル情報を送信する機能を、ＣＰＵ３０ａに実現させる。具体的には、ＣＰＵ３０ａは、例えば、ユーザによるリモコン装置４０のチャンネルキーやチャンネルアップ/ダウンキーの操作等によって所定のチャンネルが選局されると、選局されたチャンネルのチャンネル番号(仮想チャンネル番号)に対応するチャンネル情報(物理チャンネル番号、方向情報、ゲイン情報など)を、記録部２９のチャンネルマップ２９ａから取得して、９０９インターフェイス２１を介して、スマートアンテナ１０のアンテナコントローラ１１に送信する。これにより、受信素子１３は、指向性を切り替えて、選択されたテレビジョン放送信号を受信する。
【００５４】
（１−２−１）受信部の収容方法
図４は、テレビジョン受信機２０に収容される筺体１４（受信部）と、軸部１７（接続部）とを表す図である。図５は、テレビジョン受信機２０の背面に形成される収容部６０を表す図である。同図４より、筺体１４は、軸部１７から取り外された後、筺体１４を収容部６０に収容することが可能である。そのため、収容部６０は、テレビジョン受信機２０の背面より延設するよう形成される一対の収容片６０ａ、６０ｂを有している。また、収容片６０ａ、６０ｂの間には、収容部６０に収容された筺体１４を保持するための収容保持部７０とを有している。
【００５５】
収容片６０ａ、６０ｂは、テレビジョン受信機２０の背面から延設する先端を、互いに対向するよう湾曲させて配置している。また、収容片６０ａ、６０ｂの間の長さ（図では、収容片６０ａがテレビジョン受信機２０から延設する根元から、収容片６０ｂがテレビジョン受信機２０から延設する根元までの長さ）は、少なくとも、筺体１４の横断面の幅より長い長さとしている。さらに、収容片６０ａ、６０ｂと、テレビジョン受信機２０の背面とで、筺体１４の周縁部が挿入される空間６０ｃ、６０ｄを形成する。
【００５６】
また、空間を形成する収容片６０ａ、６０ｂとテレビジョン受信機２０の内壁側には、収容したスマートアンテナ１０の筺体１４を保護するための緩衝材６０ｅが配置されている。具体的には、収容片６０ａ、６０ｂの内壁側、テレビジョン受信機２０の背面に、緩衝材６０ｅを塗布または付着させることで、収容される筺体１４が緩衝材６０ｅと接触する。緩衝材６０ｅは、不織布や、弾性力を有する樹脂にて形成されており、収容部６０に収容した筺体１４を保護する役目を果たす。
【００５７】
図６は、収容保持部７０の構成を表す側面図である。図６は、テレビジョン受信機２０の側面側から見た内部断面図である。同図より、収容保持部７０は、収容部６０に収容された筺体１４を保持するためのものである。収容保持部７０は、テレビジョン受信機２０のキャビネット２０ａ背面の収容片６０ａ、６０ｂの間に形成される箇所を、コ字状に切り欠いて形成した保持片７０ａと、保持片７０ａより突出する鍵部７０ｂを形成する形状である。
【００５８】
このとき、保持片７０ａは、テレビジョン受信機２０のキャビネット２０ａ背面と上方側が繋がっているため、背面に対して垂直方向（図中Ａ−Ａ方向）に弾性力を発生させる。また、保持片７０ａより突出する鍵部７０ｂは、上方から下方にかけて半時計回りの傾斜面を有する鍵形状としている。なお、保持片７０ａに付勢力を与える構造としては、バネにより図中Ａ−Ａ方向に弾性力を与える構成であっても良い。
【００５９】
上述した構成の収容部６０に、筺体１４を収容部に収容する方法を説明する。まず、筺体１４の天井面をテレビジョン受信機２０の背面側に向けて、筺体１４の厚み方向をテレビジョン受信機２０の厚みと同一方向になるよう、収容部６０の空間６０ｃ、６０ｄに筺体１４の外周縁部を上方から挿入する。このとき、筺体１４の周縁部は、鍵部７０ｂを背面から内側（図６の左側）に向けて押し出す。さらに、筺体１４の周縁部を収容部６０の空間６０ｃ、６０ｄの底面まで引き下げて、収容部６０の空間６０ｃ、６０ｄに、筺体１４の周縁部を挿入する。
【００６０】
このとき、筺体１４により押し下げられていた鍵部７０ｂは、筺体１４による当接を解除され、再度、保持片７０ａの弾性力により突出する。これにより鍵部７０ｂの下側の面は、筺体１４の周縁部と垂直に当接する。よって、筺体１４は、上方への移動を鍵部７０ｂに阻害され、これにより筺体１４は、収容部６０に保持されて収容される。
【００６１】
次に、軸部１７を収容する方法を説明する。図４より、軸部１７は、固定部５０により固定されてテレビジョン受信機２０に接続されている。具体的には、固定部５０は、テレビジョン受信機２０の背面から延設する一対の固定片５０ａ、５０ｂにより軸部１７の外周を狭持されて固定されている。そのため、固定部５０により狭持される軸部１７を固定部５０の下方に押し下げることより、軸部１７の先端の高さをテレビジョン受信機２０の天井面より押し下げる。これにより、軸部１７は、テレビジョン受信機２０に収容される。
【００６２】
また、軸部１７の収容方法としては、上述した方法に限定されず、例えば、軸部１７がテレビジョン受信機２０に回転可能に固定される場合は、筺体１４を軸部１７から取り外した後、軸部１７の先端をテレビジョン受信機２０の天井面より出ないよう回転させて収容するものであってもよい。
【００６３】
（１−２−２）変形例
収容片６０ａ、６０ｂの形状を工夫することにより、次のように筺体１４を収容することができる。図７は、変形例としての収容部６０に収容される筺体１４を表す図である。これにより、筺体１４を収容するとともに、筺体１４に収容されるアンテナユニット１５から引き出される配線１５ａも収容部６０に収容することができる。
【００６４】
同図より、収容部６０を形成する収容片６０ａ、６０ｂは、テレビジョン受信機２０から延設して、互いに対向するよう折れ曲がる部位を図４の収容片６０ａ、６０ｂより延長した形状としている。具体的には、収容片６０ａ、６０ｂは、筺体１４の下部筺体部１４ｂの円錐台形状の外周にそって、湾曲する形状としている。筺体１４の収容方法としては、まず、アンテナユニット１５から引き出される配線１５ａを、図７のように円錐台形状の部位の外周に沿って巻き取る。その状態で、筺体１４を、収容部６０の空間６０ｃ、６０ｄに挿入して収容する。このとき、収容片６０ａ、６０ｂは、収容部６０に筺体１４を収容した際、筺体１４の下部筺体部１４ｂの円錐台の部位は、収容片６０ａ、６０ｂに覆われて収容される。このため、収容部６０には、筺体１４と筺体１４の円錐台の部位に巻き取られた配線１５ａとを収容することが可能となり、配線１５ａを断線等から保護することができる。
【００６５】
スマートアンテナと屋外用アンテナとを併用する場合、テレビジョン受信機２０の取り付け構造を図８のようにしてもよい。本変形例におけるテレビジョン受信装置１００では、スマートアンテナ１０と屋外用アンテナとは、同軸ケーブル８０を用いてテレビジョン受信機２０と並列に接続されている。また、同軸ケーブル８０の分岐点８０ａからスマートアンテナ１０までの長さ、及び分岐点８０ａから屋外用アンテナ端子までの長さを半波長分としている。ここで、半波長とはテレビジョン放送信号の中心周波数であればよい。また、分岐点８０ａから屋外用アンテナ端子までの長さを０波長とするものであってもよい。
【００６６】
上記した構成により、スマートアンテナをテレビジョン受信機２０に取り付けた場合は、屋外用アンテナ端子をオープンとすることで、分岐点８０ａでのインピーダンスが無限大となる。このため、スマートアンテナ１０により受信された電波であって、分岐点８０ａで屋外用アンテナ側の同軸ケーブル８０に流れた電波を無視することができ、インピーダンスマッチングを容易に取ることができる。また、屋外用アンテナを取り付けて、スマートアンテナ１０をオープンにする場合も同様な理由により、インピーダンスマッチングを容易に取ることができる。
【００６７】
（２）まとめ
以上説明したように、テレビジョン受信装置１００は、筺体１４と軸部１７とに分割可能なスマートアンテナ１０と、テレビジョン受信機２０とから構成されている。さらに、テレビジョン受信機２０は、分割したスマートアンテナ１０の筺体１４を収容するための収容部６０を有しており、軸部１７から取り外した筺体１４を、厚み方向を同じにして収容することができる。このため、スマートアンテナ１０を使用しない場合は、筺体１４を軸部１７から取り外すとともに、取り外した筺体１４をテレビジョン受信機２０の収容部６０に収容する。これにより、スマートアンテナ１０を非使用時に簡単に格納することができる。
【００６８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６９】
【図１】本発明の実施の形態でのテレビジョン受信装置のブロック構成図である。
【図２】テレビジョン受信機に固定されるスマートアンテナを表す斜視図である。
【図３】スマートアンテナの構成を表す構成図である。
【図４】テレビジョン受信機に収容される筺体（受信部）と、軸部（接続部）とを表す図である。
【図５】テレビジョン受信機の背面に形成される収容部を表す図である。
【図６】固定部の構成を表す側面図である。
【図７】変形例としての収容部に収容される筺体を表す図である。
【図８】変形例としてのテレビジョン受信装置を示す側面図である。
【図９】従来のスマートアンテナを表す斜視図である。
【符号の説明】
【００７０】
１０…スマートアンテナ、１１…アンテナコントローラ、１１ａ…制御部、１１ｂ…切替部、１１ａ１…ＣＰＵ、１１ａ２…ＲＡＭ、１１ａ３…ＲＯＭ、１２…９０９インターフェイス、１３…受信素子、１４…筺体、１４ａ…上部筺体部、１４ｂ…下部筺体部、１４ｂ１…穴、１４ｂ２…結合片、１４ｂ３…雌ねじ部、１５…アンテナユニット、１５ａ…配線、１５ａ１…９０９ケーブル、１５ａ２…アンテナＲＦケーブル、１７…軸部、２０…テレビジョン受信機、２０ａ…キャビネット、２１…９０９インターフェイス、２２…チューナ、２３…フロントエンド、２４…デコーダ、２５…音声出力部、２６…画像表示部、２７…ＯＳＤ回路、２８…リモコン受信部、２９…記録部、２９ａ…チャンネルマップ、３０…制御部、３０ａ…ＣＰＵ、３０ｂ…ＲＡＭ、３０ｃ…ＲＯＭ、４０…リモコン装置、５０…固定部、５０ａ、５０ｂ…固定片、６０…収容部、６０ａ、６０ｂ…収容片、６０ｃ、６０ｄ…空間、６０ｅ…緩衝材、７０…収容保持部、７０ａ…保持片、７０ｂ…鍵部、８０…同軸ケーブル、８０ａ…分岐点、１００…テレビジョン受信装置、２００…プログラム、３００…送信プログラム
【図１】
2008311994.tif 000003
【図２】
2008311994.tif 000004
【図３】
2008311994.tif 000005
【図４】
2008311994.tif 000006
【図５】
2008311994.tif 000007
【図６】
2008311994.tif 000008
【図７】
2008311994.tif 000009
【図８】
2008311994.tif 000010
【図９】
2008311994.tif 000011